(57)【要約】      （修正有）【課題】キー付携帯電話又はキー付スマートフォン、タブレット型多機能端末器等で、遠隔操作することにより各種施設の扉の施錠装置の操作ノブを解錠・施錠して扉をロック・アンロックするキー付携帯電話による扉の解錠施錠システムの技術を提供する。【解決手段】車室内の天井部等にはキー付携帯電話Ｂからの発信信号を受信するための受信部１１が設けられ、ここで受信された遠隔信号に基き制御部１３を動作させてリモートスイッチ１２及び切換スイッチ１０を切換操作する。キー付携帯電話Ｂはキー３と本体部とで構成され本体部の内部は電子回路を内蔵し、特定した自動車Ａのキー情報を記憶・保持又は再生できると共に、押ボタンを操作することにより自動車Ａの切換スイッチ１０及びリモートスイッチ１２を遠隔操作できる。押しボタンを一回押す毎に施錠又は解錠信号を交互に発信するようになっている。【選択図】図１
2014111858.tif 000002
【特許請求の範囲】
【請求項１】
キー付携帯電話又はキー付スマートフォン（高機能携帯電話）、若しくはタブレット型多機能端末器と、該キー付携帯電話又はキー付スマートフォン（高機能携帯電話）、若しくはタブレット型多機能端末器からの発信信号を受信する自動車又は自宅扉に装着された受信部と、該受信部からの信号で記憶、演算処理しかつロック・アンロック信号を出力するＣＰＵを備えた制御部と、該制御部からの出力信号でロック側又はアンロック側に切換られる切換スイッチと、該切換スイッチの操作により解錠・施錠すると共に自動車扉又は自宅扉のロック・アンロックをする自動車の内縁枠又は自宅扉に備えた操作ノブとでなることを特徴とするキー付携帯電話による扉の解錠施錠システム。
【請求項２】
前記キー付携帯電話または前記キー付スマートフォン（高機能携帯電話）、若しくはタブレット型多機能端末器の側部にキー収納溝を備え、キーを該キー収納溝に収納・取出可能にしたことを特徴とする請求項１に記載のキー付携帯電話による扉の解錠施錠システム。
【発明の詳細な説明】
【技術分野】
【０００１】
本発明は、キー付携帯電話（スマートフォンも含む）又はタブレット型多機能端末器等で、遠隔操作することにより扉の施錠装置とりわけ自動車内に装着した操作ノブを解錠・施錠操作して各扉をロック・アンロックするキー付携帯電話による扉の解錠施錠システムに関するものである。
【背景技術】
【０００２】
この種従来の技術はキーの本体内部に電子回路を内蔵し、遠隔操作により例えば自動車扉をロック・アンロックする解錠施錠システムは存在した。かかる技術によれば、運転者が携帯電話やスマートフォン（高機能携帯電話）、タブレット型多機能端末器等を使用したいとき上記キーとは別に保持する必要があり、日常生活上不便であるという問題点があった。
【先行技術文献】
【特許文献】
【０００３】
【特許文献１】特開２００４ー２５１０５２号公開特許公報
【発明の概要】
【発明が解決しようとする課題】
【０００４】
従来の技術は、叙上した構成、作用であるので次の課題が存在した。
叙上した従来技術の例によれば、運転者が携帯電話やスマートフォン（高機能携帯電話）を使用したいとき上記キーとは別に保持する必要があり、日常生活上不便であるという問題点があった。
本発明が解決しようとする課題は、背景技術で述べた問題点を解決することにある。
【課題を解決するための手段】
【０００５】
本発明に係るキー付携帯電話による扉の解錠施錠システムは特異な構造を有するものであって、キー付携帯電話又はキー付スマートフォン、タブレット型多機能端末器等で扉を解錠施錠すると共にかかるキー付携帯電話又はキー付スマートフォン、タブレット型多機能端末器等のキーにより自動車のエンジンを始動・停止する技術又はマンション等自宅扉の解錠・施錠する技術を提供することを目的としたものであり、次の構成・手段から成立する。
【０００６】
すなわち、請求項１に記載の発明によれば、キー付携帯電話又はキー付スマートフォン（高機能携帯電話）、若しくはタブレット型多機能端末器と、該キー付携帯電話又はキー付スマートフォン（高機能携帯電話）、若しくはタブレット型多機能端末器からの発信信号を受信する自動車又は自宅扉に装着された受信部と、該受信部からの信号で記憶、演算処理しかつロック・アンロック信号を出力するＣＰＵを備えた制御部と、該制御部からの出力信号でロック側又はアンロック側に切換られる切換スイッチと、該切換スイッチの操作により解錠・施錠すると共に自動車扉又は自宅扉のロック・アンロックをする自動車の内縁枠又は自宅扉に備えた操作ノブとでなることを特徴とする。
【０００７】
請求項２に記載の発明によれば、前記キー付携帯電話または前記キー付スマートフォン（高機能携帯電話）、若しくはタブレット型多機能端末器の側部にキー収納溝を備え、キーを該キー収納溝に収納・取出可能にしたことを特徴とする。
【発明の効果】
【０００８】
本発明に係るキー付携帯電話による扉の解錠施錠システムは、叙上の構成を有するので次の効果がある。
【０００９】
すなわち、請求項１に記載の発明によれば、キー付携帯電話又はキー付スマートフォン（高機能携帯電話）、若しくはタブレット型多機能端末器と、該キー付携帯電話又はキー付スマートフォン（高機能携帯電話）、若しくはタブレット型多機能端末器からの発信信号を受信する自動車又は自宅扉に装着された受信部と、該受信部からの信号で記憶、演算処理しかつロック・アンロック信号を出力するＣＰＵを備えた制御部と、該制御部からの出力信号でロック側又はアンロック側に切換られる切換スイッチと、該切換スイッチの操作により解錠・施錠すると共に自動車扉又は自宅扉のロック・アンロックをする自動車の内縁枠又は自宅扉に備えた操作ノブとでなることを特徴とするキー付携帯電話による扉の解錠施錠システムを提供する。
このような構成としたので、キー付携帯電話又はキー付スマートフォン（高機能携帯電話）、タブレット型多機能端末器等の押しボタンを操作することで自動車扉又は自宅扉の解錠・施錠をすることができ、別個のキーを保持せず自動車のエンジンを始動・停止し又は自宅扉の施錠・開錠することができるという効果がある。また前記キー付携帯電話又はキー付スマートフォン（高機能携帯電話）、若しくはタブレット型多機能端末器に多数のキー機能データを入力・記憶させることによりキーの電子化を図り、キーホルダーに多数個のキーを設置する必要がない。
【００１０】
請求項２に記載の発明によれば、請求項１に記載のキー付携帯電話又はキー付スマートフォン（高機能携帯電話）、若しくはタブレット型多機能端末器による扉の解錠施錠システムに於いて、前記キー付携帯電話または前記キー付スマートフォン（高機能携帯電話）、若しくはタブレット型多機能端末器の側面部にキー収納溝を備え、キーを該キー収納溝に収納・取出可能にしたことを特徴とする。
このような構成としたので、請求項１の効果に加えて、自動車のエンジンキーとしての機能や自宅扉のリモートコントロール制御を不要とする場合、キー付携帯電話または前記キー付スマートフォン（高機能携帯電話）、若しくはタブレット型多機能端末器のキーをキー収納溝に収納できキー付携帯電話または前記キー付スマートフォン（高機能携帯電話）、若しくはタブレット型多機能端末器を使用する際にキーが邪魔とならないという効果がある。
【図面の簡単な説明】
【００１１】
【図１】本発明に係るキー付携帯電話による扉の解錠施錠システムを内蔵した自動車の斜視図である。
【図２】本発明に係るキー付携帯電話による扉の解錠施錠システムを示す回路構成図である。
【図３】キー付携帯電話による扉の解錠施錠システムに備えたキー付携帯電話の一例を示す斜視図である。
【図４】本発明に係るキー付携帯電話による扉の解錠施錠システムの実施例を示すものであって、操作ノブを示す斜視図である。
【発明を実施するための形態】
【００１２】
本発明に係るキー付携帯電話による扉の解錠施錠システムに於ける実施の形態について図１ないし図４等に基づき詳細に説明する。
図１は本発明に係るキー付携帯電話による扉の解錠施錠システムを内蔵した自動車の斜視図、図２は本発明に係るキー付携帯電話による扉の解錠施錠システムを示す回路構成図、図３はキー付携帯電話による扉の解錠施錠システムに備えたキー付携帯電話の一例を示す斜視図である。
【００１３】
まず、図１に基づいて本発明を自動車に適用した場合についてキー付携帯電話による扉つまり自動車扉の解錠施錠システムの構成を説明する。Ａは自動車である。運転手席側ドア１の車室外部（外壁面）には扉の開閉を行うドアノブ２及びその近傍にキー付携帯電話Ｂに付設したキー３を用いてキースイッチ４を切換えることにより施錠又は解錠操作するためのキー付携帯電話Ｂのキー溝５が設けられている。前記キー付携帯電話Ｂは例えば既存及び汎用の携帯電話やスマートフォン、タブレット型多機能端末器等の端末器を利用してもよい。車室内部には運転席側ドア１の車室内側に一体に取付けられている内縁枠６の上部に操作ノブ７が設けられ、窓８の外から車室内部が見えるようになっている。
【００１４】
操作ノブ７は運転者が車室内において手動で、又はキー付携帯電話Ｂで遠隔操作によりドアロックのロック部９を施錠又は解錠する場合に操作することにより切換スイッチ１０をロック側又はアンロック側に切換えるための部材である。
【００１５】
図１に於いて車室内の所定位置例えば天井部等にはキー付携帯電話Ｂからの発信信号を受信するための受信部１１つまりインターフェースボックスが設けられ、ここで受信された遠隔信号に基づいて制御部１３を動作させてリモートスイッチ１２及び切換スイッチ１０を切り換え操作するようになっている。
ここで図３に示すキー付携帯電話Ｂは一例であって、スマートフォン（高機能携帯電話）、タブレット型多機能端末器等運転者が把持するほかの端末機器であってもよい。そして、該キー付携帯電話Ｂはキー３と、本体部３Ａとで構成され、この本体部３Ａの内部は電子回路を内蔵し、電話機能やメール機能等その他各種の機能を備えると共に特定した自動車Ａのキー情報を記憶・保持又は再生できると共に押ボタン（操作スイッチ）３ａを操作することにより自動車Ａの前記切換スイッチ１０及びリモートスイッチ１２を遠隔操作できる。また、本体部３Ａの一部例えば側面部３ｂにはキー収納溝３ｃを備え、キー３が不要なとき矢印方向に折畳み収納可能に構成する。尚、上記キー３は汎用又は既存の携帯電話やスマートフォン、タブレット型多機能端末器等の端末器に後付け可能である。
【００１６】
自動車Ａの内縁枠６内などの適所に設けられた制御部１３は、切換スイッチ１０、リモートスイッチ１２及びキースイッチ４からの信号に基づき、ロック部９に内蔵されている電動モータ９ａを駆動させてロック部９を施錠又は解錠を操作する。
【００１７】
キー付携帯電話Ｂによる受信部１１に対する遠隔信号は、車外の遠隔操作者つまり運転者が保持する前記キー付携帯電話Ｂによる押しボタン（操作スイッチ）３ａを押すことにより発信される。本実施の形態では押しボタン（操作スイッチ）３ａを一回押す毎に施錠又は解錠信号を交互に発信するようになっている。
【００１８】
次に図２に基づいて、本発明に係るキー付携帯電話による扉の解錠施錠システムの動作等を説明する。制御部１３には、電動モータ９ａが接続され、電流方向を反転することにより正逆回転し、図１に示すロック部９の施錠又は解錠を行うようになっている。
【００１９】
さらに、制御部１３は前記受信部１１を接続しておりＣＰＵを備えたマイコン制御装置で構成され、前述のように、操作ノブ７により操作される切換スイッチ１０、キー付携帯電話Ｂによって操作されるリモートスイッチ１２、キー操作により解錠を行うキースイッチ４及びバッテリー１４が接続されている。
【００２０】
リモートスイッチ１２は、キー付携帯電話Ｂからの遠隔信号に基づいて制御部１３の動作によりＬＯＣＫ側又はＵＮＬＯＣＫ側へ交互に切り換えられ、ＬＯＣＫ側が閉じると電動モータ９ａを施錠側へ回転させてロック部９を施錠すると共に、制御部１３の動作により切換スイッチ１０をＬＯＣＫ側に切換動作させ操作ノブ７をロック位置まで押下げ施錠する。
【００２１】
逆に、ＵＮＬＯＣＫ側が閉じると、電動モータ９ａを解錠側へ回転させてロック部９を解錠すると共に、制御部１３の動作により切換スイッチ１０をＵＮＬＯＣＫ側に切換動作させ操作ノブ７をアンロック位置まで押上げ解錠する。
尚、リモートスイッチ１２以外の切換スイッチ１０及びキースイッチ４が操作された場合にも、上記同様にして制御部１０によりロック部９の施錠又は解錠操作が行われる。すなわち、操作ノブ７を押し込むことによる施錠操作でＬＯＣＫ側の接点を閉じて電動モータ９ａを施錠側へ回転させ、操作ノブ７を引き出すことによる解錠側の操作でＵＮＬＯＣＫ側接点が閉じて電動モータ９ａを解錠側へ回転させる。
【００２２】
先ず、運転者は停車又は駐車している自動車Ａにリーモートコントロールにより自動車Ａに乗車する場合は前記キー付携帯電話Ｂを操作し、上述した動作により自動車Ａの扉を解錠する。そこで運転者はドアノブ２を操作して運転席側ドア１を開放する。運転席に着座した運転者は前記キー付携帯電話Ｂのキー３をキー収納溝３ｃから取出しこのキー３を自動車のキースイッチに差込み回転して自動車Ａのエンジンを始動する。尚、上記説明に於いて自宅用扉に本発明に係るキー付携帯電話による扉の解錠施錠システムを設置する場合はかかる上述したキー付携帯電話による扉の解錠施錠システム内の制御部１３等関連構成要素を扉内に収容する。
また、このキーシステムでは、複数のキー３を携帯電話又はスマートフォン（高機能携帯電話）、若しくはタブレット型多機能端末器で操作でき、各種キー３を持ち運ぶ必要はなく、多数個のキー３を１台の携帯電話又はスマートフォン（高機能携帯電話）、若しくはタブレット型多機能端末器で設定可能である。また、受信部１１にデータをセットする方法としては、携帯電話又はスマートフォン（高機能携帯電話）、若しくはタブレット型多機能端末器からセットすること及び実際のキー付携帯電話が出している信号を受信部１１が読み込んでセットすることもできる。
【実施例】
【００２３】
本発明に係るキー付携帯電話による扉の解錠施錠システムを自動車に適用した場合に於ける実施例を説明する。
本実施例は図１に示す実施の形態の説明で明らかにした操作ノブ７に代えて回転型操作ノブ７Ａを備えた構成であり、図４に示している。該回転型操作ノブ７Ａは図示するように右Ｃ方向又は左Ｄ方向に回転して自動車Ａの運転手席側ドア１を解錠・施錠する。
ほかのキー付携帯電話による扉の解錠施錠システムや回転型操作ノブ７Ａの構成・動作は前述した実施の形態で説明したものと略同一であり、その説明を省略する。尚、１５は運転手席側ドア１の内側に形成したスイッチ装着ボックスであり、１５Ａは自動車Ａの窓８を上昇、下降させるパワーウインドウスイッチ群である。
【産業上の利用可能性】
【００２４】
本発明に係るキー付携帯電話による扉の解錠施錠システムは、携帯電話、スマートフォン（高機能携帯電話）、タブレット型多機能端末器の他に、各種の通信端末機器に利用することができる。
【符号の説明】
【００２５】
Ａ        自動車
Ｂ        キー付携帯電話
１        運転手席側ドア
２        ドアノブ
３        キー
３Ａ      本体部
３ａ      押ボタン（操作スイッチ）
３ｂ      側面部
３ｃ      キー収納溝
４        キースイッチ
５        キー溝
６        内縁枠
７        操作ノブ
７Ａ      回転型操作ノブ
８        窓
９        ロック部
９ａ      電動モータ
１０      切換スイッチ
１１      受信部
１２      リモートスイッチ
１３      制御部  
１４      バッテリー
１５      スイッチ装着ボックス
１５Ａ    パワーウィンドウスイッチ群
【図１】
2014111858.tif 000003
【図２】
2014111858.tif 000004
【図３】
2014111858.tif 000005
【図４】
2014111858.tif 000006